(57)【要約】【課題】地盤中の不良な地層だけを選択的に改良できるようにした。【解決手段】本発明の地盤改良工法は、下側に噴射口を有した中空ロッド６を、地表側より地盤中に貫入して、前記噴射口を当該地盤中に存在する改良対象層Ｅ２内に配置する貫入工程と、粒状物と液体との混合物を中空ロッド６の噴射口から噴出することにより、改良対象層Ｅ２内に透水性の粒状層９を造成する造成工程と、地表側より真空吸引用パイプ１０を粉状層９まで貫入するとともに、パイプ１０に接続された真空ポンプ１４の駆動により改良対象層Ｅ２内に保留されている間隙水等を粒状層９及びパイプ１０を通じて地表側に吸引して排出する排液工程とを経るものである。【選択図】      図１
2005256323.tif 000002
【特許請求の範囲】
【請求項１】
噴射口を有した中空ロッドを、地表側より地盤中に貫入して、前記噴射口を当該地盤中に存在する改良対象層内に配置する貫入工程と、
粒状物と液体との混合物を前記中空ロッドの噴射口から噴出することにより、前記改良対象層内に透水性の粒状層を造成する造成工程と、
地表側より真空吸引用パイプを前記粉状層まで貫入するとともに、前記パイプに接続された真空ポンプの駆動により前記改良対象層内に保留されている間隙水等を前記粒状層及びパイプを通じて地表側に吸引して排出する排液工程と
を経ることを特徴とする地盤改良工法。
【請求項２】
噴射口を有した中空ロッドを、地表側より地盤中に貫入して、前記噴射口を当該地盤中に存在する改良対象層内に配置する貫入工程と、
粒状物と液体との混合物を前記中空ロッドの噴射口から噴出することにより、前記改良対象層内に透水性の粒状層を造成する造成工程と、
前記中空ロッドに真空ポンプを接続し、該真空ポンプの駆動により前記改良対象層内に保留されている間隙水等を前記粒状層及び中空ロッドを通じて地表側に吸引して排出する排液工程と
を経ることを特徴とする地盤改良工法。
【請求項３】
請求項１又は２の地盤改良工法において、前記中空ロッドを前記造成工程で回転しながら前記混合物を噴射することを特徴とする地盤改良工法。
【請求項４】
請求項１又は２の地盤改良工法において、前記改良対象層が地盤中の複数の深度位置に存在している場合、前記造成工程では前記中空ロッドによりそれぞれの改良対象層内に前記粒状物を順に形成し、前記排水工程では前記各改良対象層の位置に対応した複数の吸引孔を有した吸引用パイプ又は中空ロッドを用いることを特徴とする地盤改良工法。
【請求項５】
請求項１又は２の地盤改良工法において、前記貫入工程を所定間隔毎に行うことにより、前記造成工程で形成される粒状層同士を横方向に接続して一体ものにすることを特徴とする地盤改良工法。
【請求項６】
請求項１又は２の地盤改良工法において、前記中空ロッドが既存構造物の基礎直下の地盤と周囲地盤とを仕切るための矢板に取り付けられ、該矢板の地盤内への建て込みと同時に前記中空ロッドを地盤内に貫入するとともに、前記噴射口を通じて周囲地盤内に粒状物と液体との混合物を噴出させることにより、当該矢板の側近傍に前記粒状層を造成することを特徴とする地盤改良工法。
【発明の詳細な説明】
【技術分野】
【０００１】
本発明は、例えば、軟弱地盤中に含まれる水を真空吸引して排出することにより圧密沈下させる地盤改良工法に関し、特に改良対象の地層が地盤中に部分的に存在したり既存構造物の周囲地盤だけを選択的に改良できるようにした工法に関する。
【背景技術】
【０００２】
軟弱地盤の安定化のためのドレーン工法として、ペーパードレーン工法やサンドドレーン工法が知られている。このうち、ペーパドレーン工法は、特許文献１に記載されているように、マンドレル内に保持させた各種のドレーン材を土中に鉛直に貫入した後、土中に残置した状態でマンドレルを引き抜くもので、土中水を圧力差等によってドレーン材を介して地表側に上昇し排水することにより地盤を圧密させる。また、サンドドレーン工法も類似する原理であり、ケーシングを地盤に貫入し、引き抜くことでケーシングに入れた砂を砂柱として土中に残置するもので、土中水を砂粒子の隙間を伝って地表側に上昇し排出することにより地盤を圧密させる。
【０００３】
他の地盤改良工法としては、特許文献２に記載されているように、地盤中に打設された鉛直ドレーン材と、該鉛直ドレーン材の上部に接続されている水平ドレーンとを有し、気密シートで水平ドレーンや軟弱地盤の上面を覆うとともに、真空ポンプで負圧を作用させることにより軟弱地盤の土中水を各ドレーンを通じ地上側へ吸引し排出するものである。
【０００４】
【特許文献１】実公昭６３−８２３号公報
【特許文献２】特開２００２−２４２１７０号公報
【発明の開示】
【発明が解決しようとする課題】
【０００５】
ところで、改良対象地盤には、埋立地盤と異なり、既存の地盤内が均一な土層ではなく、粘土層、シルト層、砂層、砂礫層等が鉛直方向に混在しており、例えば、砂−砂礫層の下層に含水分の多い粘土−シルト層が存在している場合もある。なお、通常は、各土層のうち、砂−砂礫層は透水層であり、水が自由に通過でき、加圧や脱水による体積収縮はほとんど生じない。これに対し、粘土−シルト層は不透水層であり、一般的に含水分が多く軟弱化し易く、加圧や脱水による体積収縮が顕著である。そして、粘土−シルト層が地盤表層に存在する場合には、該表層を良質土砂に比較的簡単に置き換えることができる。しかし、粘土−シルト層が下層に存在した場合には、掘削土量が膨大となり、工期及び経費も莫大となるため置き換え不可能なことも生じ容易には改良できない。このような問題は、例えば、地盤中の所定深さに存在する汚染層を改質処理するような場合も同様である。
【０００６】
一方、構造物との関係では、前記粘土−シルト層を下層に残したまま当該地盤の直上に大きな建物荷重が加わると、粘土−シルト層に加わる圧力により長年にわたって土中間隙水を放出しつつ圧密を生じ、地盤沈下現象を生ずる虞がある。このため、構造物の構築に先立ち、予め粘土−シルト層から水を放出させて地盤を圧密し、安定化させておく必要がある。しかし、圧密による地盤改良方法として、前述したドレーン工法を適用した場合には、透水層である砂−砂礫層からも吸水するため、恰も地下水を汲み上げるような作業を行うと同様に、作業そのものが大がかりとなる割には無駄が多く、作業能率が悪い。
【０００７】
本発明は以上のような課題を解決することを目的としている。具体的には、地盤中の不良な地層（粘土−シルト層や汚染層、つまり改良対象層）だけを選択的に改良して経費低減を実現することと、例えば耐震改修される既存構造物周囲の地盤も選択的に改良して耐震性を経費を抑えてより向上することにある。
【課題を解決するための手段】
【０００８】
本発明者らは上記目的を達成するため次のような地盤改良工法を開発した。すなわち、
・請求項１の発明は、噴射口を有した中空ロッドを、地表側より地盤中に貫入して、前記噴射口を当該地盤中に存在する改良対象層内に配置する貫入工程と、粒状物と液体との混合物を前記中空ロッドの噴射口から噴出することにより、前記改良対象層内に透水性の粒状層を造成する造成工程と、地表側より真空吸引用パイプを前記粉状層まで貫入するとともに、前記パイプに接続された真空ポンプの駆動により前記改良対象層内に保留されている間隙水等を前記粒状層及びパイプを通じて地表側に吸引して排出する排液工程とを経ることを特徴としている。
・請求項２の発明は、請求項１に比べて、前記排液工程で使用する真空吸引用パイプを造成工程で使用した中空ロッドで兼用するようにした点で異なっている。
【０００９】
以上の発明工夫点は、特に、改良対象層が地盤中に部分的に存在するような場合、該改良対象層内に中空ロッドを貫入し、該中空ロッドの噴射口より粒状物と液体との混合物を噴出して透水性の粒状層を形成した後、該粒状層に吸引用パイプを貫入したり前記中空ロッドを利用し、それらパイプや中空ロッドに真空ポンプを接続して、改良対象層内に保留されている間隙水等を粒状層からパイプや中空ロッドを通じて地表側に吸引して排出するようにしたものである。なお、本発明において、「粒状物」は、砂又はそれに類似するものであり、透水性がありかつ噴射し易い粒状のものであればよい。「液体」は、水だけに限られず、例えば水に薬剤等を入れた液でもよい。「混合物」は、粒状物及び液体を必須としているが、他にエア等の気体を含んでいても差し支えない。その一例としては、（砂等の粒状物＋水等の液体）を高圧エアに乗せて噴射口より噴出するような態様である。「改良対象層」は、地盤中に存在する不良な地層であり、通常は粘土−シルト層等の不透水層あるいは汚染層の何れかである。
【００１０】
・請求項３の発明は、前記中空ロッドを前記造成工程で回転しながら前記混合物を噴射する構成である。
・請求項４の発明は、請求項１又は２の地盤改良工法において、前記改良対象層が地盤中の複数の深度位置に存在している場合、前記造成工程では前記中空ロッドによりそれぞれの改良対象層内に前記粒状物を順に形成し、前記排水工程では前記各改良対象層の位置に対応した複数の吸引孔を有した吸引用パイプ又は中空ロッドを用いる構成である。
・請求項５の発明は、請求項１又は２の地盤改良工法において、前記貫入工程を所定間隔毎に行うことにより、前記造成工程で形成される粒状層同士を横方向に接続して一体ものにする構成である。
・請求項６の発明は、請求項１又は２の地盤改良工法において、前記中空ロッドが既存構造物の基礎直下の地盤と周囲地盤とを仕切るための矢板に取り付けられ、該矢板の地盤内への建て込みと同時に前記中空ロッドを地盤内に貫入するとともに、前記噴射口を通じて周囲地盤内に粒状物と液体との混合物を噴出させることにより、当該矢板の側近傍に前記粒状層を造成する構成である。
【発明の効果】
【００１１】
上記した本発明の地盤改良工法にあっては次のような効果を有している。
・請求項１と２の発明では、例えば、改良対象層である不透水層（粘土−シルト層等）内に保留されている間隙水を効率よく排出でき、圧密のための従来ドレーン工法に比べて安価かつ効率よく実施できる。また、地盤中の汚染層を改質処理するような場合に部分処理の採用により有用なものとなる。
・請求項３の発明では、目的の透水性粒状層を中空ロッドの回転に伴って効率よく形成できる。
・請求項４の発明では、不透水層（粘土−シルト層等）が透水層（砂−砂礫層等）と互層をなして縦方向に複数存在している地層においても、経費を抑えて効率よく実施できる。
・請求項５の発明では、不透水層（粘土−シルト層等）が面的に広い領域に存在する場合、広範な領域からの間隙水を効率よく吸引し除去できる。
・請求項６の発明では、例えば、既存建物の基礎直下の耐震改修を行う場合、周囲地盤の地盤改良も付随して行うことができるため、耐震改修効果を向上できる。
【発明を実施するための最良の形態】
【００１２】
以下、本発明の実施の形態を添付図面を参照して説明する。この説明では、図１〜図４に示した第１実施例と、図５〜図６に示した第２実施例とにより本発明の構成及びその考え方を明らかにする。
【００１３】
（第１実施例）図１（ａ）〜（ｃ）、図２（ａ）〜（ｃ）は施工の工程手順を、図３，４は土中に形成された粒状層としてのサンドマット層の形状例を示している。まず、図１（ａ）において、この施工対象地盤は、事前のボーリング等による土質調査により、表層が砂−砂礫層Ｅ１、その下部側の層が粘土−シルト層Ｅ２、その下部側の層が砂−砂礫層Ｅ１を挟んで粘土−シルト層Ｅ２、最深部が砂−砂礫層Ｅ１となっている互層構造であることが判明している。つまり、この例では、これら複数の地層のうち、２層目と４層目の各粘土−シルト層Ｅ２が改良対象層となる。但し、これは、あくまでも一例に過ぎず、これ以外に例えば２層目と４層目の粘土−シルト層Ｅ２が連続して厚くなっている場合等でも差し支えない。なお、各図は理解し易くするため模式化している。砂−砂礫層Ｅ１と粘土−シルト層Ｅ２とは区別容易になるよう作図した。
【００１４】
施工に際しては、例えば、地表部ＧＬ側にあってアースドリルマシン１、砂−水の混合プラント２、及び混合プラント２に接続して砂−水の混合物を高圧輸送する高圧ポンプ３等が最初に用意される。アースドリルマシン１は、例えば、キャタピラ走行式のベースマシン４及び該ベースマシン４の先端に支持された鉛直ガイド５を備え、鉛直ガイド５を起立した状態でこれに沿って造成用中空ロッド６を地盤中に貫入するものである。この場合、中空ロッド６は、通常、鉛直ガイド５に沿って昇降される回転機構により回転されながら地盤中に貫入されたり引き抜かれる。また、中空ロッド６は、下側外周ないしは先端外周に噴射口を有し、又、上端側がスイベルジョイント７を介して前記ポンプ３の吐出端に接続されているフレキシブルなホース８に接続されている。
【００１５】
なお、この例は、混合プラント２で作られた砂と水との混合物を高圧ポンプ３及びホース８を介して中空ロッド６へ圧送し噴射口（噴射ノズルを含む。以下同じ）より噴出する構成であるが、本発明はこれに限られない。他の例を挙げると、砂と水との混合物を高圧エアに乗せて中空ロッド６へ圧送し噴射口より噴出する構成、砂−水の混合物と高圧エアとをそれぞれ独立して中空ロッド６の下側へ圧送し、噴射口を構成している混合式噴射ノズルを介して砂−水の混合物を高圧エアに乗せて噴出する構成などであってもよい。
【００１６】
そして、本発明の地盤改良工法は次のような工程を経る。まず、中空ロッド６が図１（ａ）に示すように鉛直ガイド５に沿って地盤中へ貫入される。この貫入は、中空ロッド６が図１（ｂ）に示すように、下端側が２層目の粘土−シルト層Ｅ２の内部に到達した時点で、一旦停止される（貫入工程）。
【００１７】
次いで、中空ロッド６が停止位置から僅かに上下に往復（当該粘土−シルト層Ｅ２の厚さ分だけ上下に往復）され、かつ回転されつつ、地表部側で高圧ポンプ３を駆動させることにより、砂−水の混合物が噴射口からジェット噴射され、中空ロッド６の周囲に所定厚みの扁平ドーナツ形のサンドマット層９を造成する（造成工程）。なお、造成されるサンドマット層９の直径は、例えば、高圧ポンプ３の出力と事前調査で判明した粘土−シルト層Ｅ２の軟弱度合いに応じて容易に予測できる大きさであり、厚み寸法が中空ロッド６の上下の往復量によって確定される。また、中空ロッド６の停止位置は、例えば、事前調査で得られている各土層の深さや厚さ等を考慮し、又、不図示の深度センサ等の検出値を基にして制御される。
【００１８】
２層目の施工後は、高圧ポンプ３の稼働を一旦停止し、さらに中空ロッド６の貫入深度を深め、図１（ｃ）に示すように４層目の粘土−シルト層Ｅ２に到達した時点で２層目と同様の作業、つまり貫入工程と造成工程を実施してサンドマット層９を形成する。なお、施工手順としては、下側の４層目から先にサンドマット層９を形成し、中空ロッド６を引き上げつつ上側の２層目にサンドマット層９を形成するようにしてもよい。
【００１９】
また、実際には、以上の貫入工程と造成工程を予測されたサンドマット層９の直径に応じて間隔をあけて繰り返すことで、図２に示すごとく各層Ｅ２内に造成される単位サンドマット層９同士を横方向に連続一体化させる。この一体化では、図３に示すごとく、単位サンドマット層９を隙間なく連続させた形状でもよいし、図４に示すごとく、間隔をあけて格子状に連続させてもよい。要は、施工対象の土層内全域にわたって全面連続または格子状に連続させたサンドマット層９を形成したり、さらに例えば中空パイプ６を回転しながら引き抜くことで螺旋状の粒状層を形成してもよく、改良目的や必要度に応じて最適な形状に設定される。
【００２０】
中空ロッド６は、サンドマット層９を形成した後に地盤中より引き抜かれる。その後は、図２（ａ）に示すように、真空吸引用のパイプ１０が同一のアースドリルマシン１又専用のアースドリルマシンを使ってサンドマット層９に貫入される。この場合、パイプ１０は、サンドマット層９の中心部（図３，図４参照）に貫入することが好ましい。このパイプ１０は、先端側周囲及び途中周囲の複数箇所に図２（ａ）の一部に拡大して示すような真空吸引孔１２が形成されている。各吸引孔１２は、２層目の粘土−シルト層Ｅ２と４層目の粘土−シルト層Ｅ２との間隔を保っている。また、構造的には、吸引孔１２の外周を金網１１で覆うことにより、砂の侵入を防止しつつ粘土−シルト層Ｅ２内の間隙水と空気だけを専ら吸引できるよう工夫されているが、金網１１に代えてパイプ１０内に砂礫等の濾過材を詰めるようにしてもよい。そして、図２（ｂ）に示すようにアースドリルマシン１を撤去し、パイプ１０の上端がホース等を介して真空吸引ポンプ１４に接続され、該ポンプ１４の吐出側がホース等を介して適宜箇所に設けられた地表側の側溝１５等に接続される。ポンプ１４が駆動されると、土中間隙水はサンドマット層９からパイプ１０内を伝ってポンプ１４に真空吸引され、側溝１５に放流される（排液工程）。なお、図では１本のパイプ１０しか示していないが、サンドマット層９の大きさに応じて所定間隔で複数本のパイプ１０を配置し、各パイプ１０をそれぞれポンプ１４に接続して真空吸引することもある。
【００２１】
以上のようにして、本発明の地盤改良工法では、ポンプ１４の連続運転により、粘土−シルト層Ｅ２内の間隙水があらかた絞り出されてしまうと、吸引抵抗が急速に高くなり、排水量も減少する。また、空隙の低下による体積収縮に伴い上層地盤の土圧が各粘土−シルト層Ｅ２に加わり、これにより生ずる圧密沈下によって図２（ｃ）に模式化したように、地表部ＧＬの地盤が所定高さｈまで沈下する。このため、実際の施工では以上の現象を見極めることで地盤改良の終了等が判定される。なお、以上の施工後は、パイプ１０を含む機材撤去の後、良質土砂による地表部の覆土、整地等の二次施工が必要に応じて行われる。
【００２２】
以上の実施例では、土中間隙水の除去とこれに伴う圧密沈下作用による地盤改良に適用した場合を示したが、例えば、不透水層中に有害金属イオンなどの有害物質が水に溶けた状態で混在している汚染土壌の場合にも以上の工法を同様の手順で適用可能である。この場合、排液工程では、吸引される液体を処理設備で無害化処理した後に放流することになる。また、このような汚染層では、例えば、サンドマット層９の一方側から水や薬剤を供給しつつ、他方側でパイプ１０及び真空ポンプ１４を介して真空吸引することにより、有害物質を効率よく希釈したり回収することが好ましい。汚染度が基準値を下回った後は、粘土−シルト層Ｅ２と同じく真空吸引のみを行うようにする。
【００２３】
（第２実施例）次に本発明工法を構造物の耐震補強工法に適用した場合の一例を図５（ａ），（ｂ）及び図６を参照し説明する。図５において、既設構造物は橋脚２０であって、橋脚２０のフーチング２０ａは下端又は先端が支持地盤（図示省略）にまで到達するよう設けられた複数の杭２１により支持されている。
【００２４】
以上の既設構造物において、例えば、前記杭２１が上部荷重、すなわち橋脚２０及び図示しない橋桁などの荷重を受け、その過荷重により破損の虞があると判定されたり、地震による水平力が杭２１に作用して破損する虞があると判定されときに、次のような耐震補強が施される。
【００２５】
この施工の手順は、まず、図５（ａ）及び図６に示すように、フーチング２０ａの周囲に鋼矢板２２を建て込み用重機２３を用いて所定深度まで順に建て込み、建て込まれた多数の鋼矢板２２によりフーチング２０ａを周囲地盤から隔離する。その後は、図５（ｂ）に示すように、フーチング２０ａの下部に斜め側方からセメントミルクなどの薬液を注入し、混合攪拌処理により固化体２４を造成する。次に、フーチング２０ａの側面と鋼矢板２２との間を掘削し、この間に鉄筋コンクリートを打設して増設部２５を造成した後、フーチング２０ａの上部を土砂により埋め戻すことにより耐震補強工事を完成する。
【００２６】
本発明工法では、以上の施工に加え、各鋼矢板２２の外側面に下端を閉じた中空ロッド２６を溶接などにより鉛直に固定しておく。該中空ロッド２６は、鋼矢板２２の上下寸法とほぼ同じか、若干長く設定され、砂−水の混合物の噴射と真空吸引の双方を兼用するものである。構造は、図６の一部に拡大して示すように、ロッド下側外周の一箇所に砂の放出と真空吸引を兼用する孔２６ａが開口されている。
【００２７】
そして、鋼矢板２２の建て込みに際しては、図５（ａ）に示すように、中空ロッド２６の上端を予め上述した第１実施例と同様に高圧ポンプ３を介して砂−水の混合プラントに接続しておき、鋼矢板２２の建て込み作業と同時に中空ロッド２６の孔２６ａから土中に向けて砂−水の混合物を連続して噴射する。そして、これを繰り返すことにより、図６に示すように、各鋼矢板２２の周囲に複数のサンドドレーン層２８を放射状に形成する。
【００２８】
その後は、フーチング２０ａの下部及び側面の耐震補強工事完了後にロッド２６の上端を、真空吸引ポンプ１４に接続し、かつ、ポンプ１４の吐出端側をホース等を介して側溝１５に接続しておき、ポンプ１４を駆動すると、鋼矢板周囲の土中間隙水が真空吸引されて上昇され、側溝１４側に順次排出され、周囲地盤が圧密沈下して地盤改良される。なお、施工最終時には地表側の必要部が良質土砂により埋め戻されることもある。
【００２９】
以上の本発明を適用した補強構造では、フーチング２０ａと周囲地盤とが鋼矢板２２によって縁切りされ、また耐震補強工事完成後に行うため、圧密作用による不具合は全くなく、却って構造物そのものだけでなく周囲地盤も改良されるため、耐震性もさらに向上するものとなる。
【００３０】
なお、以上の実施例は本発明を何ら制約するものではない。本発明の地盤改良工法は、請求項１又は２で特定される要件を除いて種々変形したり展開可能であり、使用機器類も以上の実施例を参考として適宜選定されるものである。
【図面の簡単な説明】
【００３１】
【図１】（ａ）〜（ｃ）は本発明の第１実施例による施工手順を示す説明図である。
【図２】（ａ）〜（ｃ）は図１に引き続く施工手順を示す説明図である。
【図３】サンドマット層（粒状層）の施工形状の一例を示す斜視図である。
【図４】サンドマット層（粒状層）の施工形状の他の例を示す斜視図である。
【図５】（ａ）（ｂ）は本発明を既存構造物の周囲地盤の部分改良に適用した場合の第２実施例を示す説明図である。
【図６】図５のＡ−Ａ線おける断面図である。
【符号の説明】
【００３２】
１…アースドリルマシン
２…砂−水の混合プラント
３…ポンプ
６…中空ロッド
９…サンドマット層（粒状層）
１０…真空吸引用パイプ
１２…真空吸引孔
１４…真空吸引ポンプ
２０…既存構造物
２０ａ…フーチング（基礎）
２６…地盤貫入及び真空吸引兼用中空ロッド
２８…サンドドレーン層（粒状層）
【図１】
2005256323.tif 000003
【図２】
2005256323.tif 000004
【図３】
2005256323.tif 000005
【図４】
2005256323.tif 000006
【図５】
2005256323.tif 000007
【図６】
2005256323.tif 000008